(57)【特許請求の範囲】
【請求項１】
板状のボード同士を連結して角筒状のダクトを構成するのに用いる連結ユニットであって、
第１底部の縁に対向配置された一対の第１取付部の間にダクトの壁をなす前記ボードを板厚方向に挟んで、該ボードの縁に取り付け可能な第１連結部材と、
第２底部の縁に対向配置された一対の第２取付部の間に前記ボードを板厚方向に挟んで、該ボードの縁に取り付け可能な第２連結部材とを含み、
前記第１連結部材は、
一方の第１取付部の外面に突出するように形成された第１締結部と、
他方の第１取付部の外面に突出するように形成された係合突部とを有し、
前記第２連結部材は、
一方の第２取付部の外面に、前記第１底部の外面を該一方の第２取付部の外面に当接させた状態で前記係合突部と係合可能に形成され、係合突部との係合により、各底部からの各取付部の延出方向に向けた前記第１連結部材と前記第２連結部材との相対的な変位を規制する係合受部と、
前記第２底部の外面に突出するように形成され、前記係合突部と前記係合受部とを係合させた状態で前記第１締結部と対向する第２締結部とを有し、
前記第１底部の外面と前記一方の第２取付部の外面とを当接して、前記係合突部と前記係合受部とを係合すると共に、互いに対向する第１締結部と第２締結部とを接続して、第１連結部材と第２連結部材とを取付部の開放端が互いに交差する向きで連結可能に構成した
ことを特徴とする連結ユニット。
【請求項２】
互いに対向させた前記第１締結部と前記第２締結部とを接続する接続部材を含み、
前記接続部材は、
該接続部材の一縁に鉤状に形成され、一方の第１取付部の外面から突出して第１底部からの第１取付部の延出方向へ折れ曲がる鉤状に形成された前記第１締結部に引っ掛け可能な第１鉤部と、
該接続部材の他縁に前記第１鉤部と対称な鉤状に形成され、第２底部の外面から突出して他方の第２取付部側へ折れ曲がる鉤状に形成された前記第２締結部に引っ掛け可能な第２鉤部とを有する請求項１記載の連結ユニット。
【請求項３】
前記第１連結部材は、他の第１連結部材と前記第１底部の外面同士で当接させた状態で、互いの第１締結部同士が対向するように形成され、
互いに対向する２つの第１締結部を接続して、２つの第１連結部材を第１取付部の開放端が反対向きになるよう連結可能に構成した請求項１または２記載の連結ユニット。
【請求項４】
２つの第１連結部材の第１締結部同士を接続する接続部材を含み、
第１締結部同士を接続する接続部材は、
該接続部材の一縁に鉤状に形成され、２つの第１連結部材のうちの一方の第１連結部材において一方の第１取付部の外面から突出して第１底部からの第１取付部の延出方向へ折れ曲がる鉤状に形成された前記第１締結部に引っ掛け可能な第１鉤部と、
該接続部材の他縁に前記第１鉤部と対称な鉤状に形成され、２つの第１連結部材のうちの他方の第１連結部材において一方の第１取付部の外面から突出して第１底部からの第１取付部の延出方向へ折れ曲がる鉤状に形成された前記第１締結部に引っ掛け可能な第２鉤部とを有する請求項３記載の連結ユニット。
【請求項５】
前記係合受部は、一方の第２取付部の外面から突出して第２底部からの第２取付部の延出方向と反対側へ折れ曲がる鉤状に形成されている請求項１〜４の何れか一項に記載の連結ユニット。
【請求項６】
前記一対の取付部のうちの少なくとも一方には、返しが内面に形成されている請求項１〜５の何れか一項に記載の連結ユニット。
【請求項７】
ダクトの壁となる板状のボードの一縁に、一対の第１取付部で板厚方向に挟んで第１連結部材を取り付けると共に、該ボードの他縁に、一対の第２取付部で板厚方向に挟んで第２連結部材を取り付け、
前記第１連結部材において両第１取付部の間を繋ぐ第１底部と、異なるボードに取り付けた第２連結部材の一方の第２取付部とを当接させると共に、第１連結部材の第１取付部に形成された係合突部を、異なるボードに取り付けられた第２連結部材の第２取付部に形成された係合受部に係合し、
前記第１連結部材の第１取付部に形成された第１締結部と、異なるボードに取り付けられた第２連結部材において両第２取付部の間を繋ぐ第２底部に形成された第２締結部とを、前記係合突部と前記係合受部との係合により互いに対向させると共に、第１締結部と第２締結部とを接続し、
別々のボードに取り付けられた第１連結部材と第２連結部材とを連結することで、角筒状のダクトを組み立てるようにした
ことを特徴とするダクトの施工方法。
【請求項８】
前記第１連結部材の第１締結部と、異なるボードに取り付けられた第２連結部材の第２締結部とを、両締結部に引っ掛かる接続部材で接続するようにした請求項７記載のダクトの施工方法。
【請求項９】
前記第１連結部材および前記第２連結部材の連結により組み立てられたダクトの開口縁に、前記第１連結部材を取り付け、
異なるダクトの開口縁に取り付けた第１連結部材の第１底部同士をつき合わせて、対向する第１締結部同士を接続することで、ダクトを直列に連結するようにした請求項７または８記載のダクトの施工方法。
【請求項１０】
異なるダクトの開口縁に取り付けた前記第１連結部材の第１締結部同士を、両締結部に引っ掛かる接続部材で接続するようにした請求項９記載のダクトの施工方法。
【発明の詳細な説明】
【技術分野】
【０００１】
この発明は、建物の空調などに用いられるダクトを構成するための連結ユニットおよびダクトの施工方法に関するものである。
【背景技術】
【０００２】
建物の空調設備に用いられるダクトとして、例えば特許文献１の構成が提案されている。 特許文献１のダクトは、断熱パネルに予め形成された３箇所の切れ込みで折り曲げて角筒状の単位ダクトを形成し、天井などの設置箇所に平行に設置された４本の平行レールに、単位ダクトの角部を嵌合して設置箇所に取り付けられる。そして、開口端をつき合わせて隣り合う単位ダクトは、互いの開口端に予め形成された凹凸部同士を嵌合することで連結される。このように、特許文献１のダクトは、平板状の断熱パネルを施工現場で折り曲げて単位ダクトを形成できるので、断熱パネルの運搬時に嵩張らないなどの利点がある。
【先行技術文献】
【特許文献】
【０００３】
【特許文献１】実公平４−３１４８０号公報
【発明の概要】
【発明が解決しようとする課題】
【０００４】
しかしながら、特許文献１のダクトは、折り曲げた断熱パネルの端同士を繋げる粘着テープ貼り作業に手間がかかる。また、天井等の現場に掛け渡した４本の平行レールで単位ダクトの角部を支持する構成であるので、４本の平行レールを精度よく設置する必要があり、長尺な平行レールを設置するのに手間がかかるなどの難点がある。
【０００５】
すなわち本発明は、従来の技術に係る前記問題に鑑み、これらを好適に解決するべく提案されたものであって、ダクトを簡単に構成できる連結ユニットおよびダクトの施工方法を提供することを目的とする。
【課題を解決するための手段】
【０００６】
前記課題を克服し、所期の目的を達成するため、本願の請求項１に係る発明の連結ユニットは、
板状のボード同士を連結して角筒状のダクトを構成するのに用いる連結ユニットであって、
第１底部の縁に対向配置された一対の第１取付部の間にダクトの壁をなす前記ボードを板厚方向に挟んで、該ボードの縁に取り付け可能な第１連結部材と、
第２底部の縁に対向配置された一対の第２取付部の間に前記ボードを板厚方向に挟んで、該ボードの縁に取り付け可能な第２連結部材とを含み、
前記第１連結部材は、
一方の第１取付部の外面に突出するように形成された第１締結部と、
他方の第１取付部の外面に突出するように形成された係合突部とを有し、
前記第２連結部材は、
一方の第２取付部の外面に、前記第１底部の外面を該一方の第２取付部の外面に当接させた状態で前記係合突部と係合可能に形成され、係合突部との係合により、各底部からの各取付部の延出方向に向けた前記第１連結部材と前記第２連結部材との相対的な変位を規制する係合受部と、
前記第２底部の外面に突出するように形成され、前記係合突部と前記係合受部とを係合させた状態で前記第１締結部と対向する第２締結部とを有し、
前記第１底部の外面と前記一方の第２取付部の外面とを当接して、前記係合突部と前記係合受部とを係合すると共に、互いに対向する第１締結部と第２締結部とを接続して、第１連結部材と第２連結部材とを取付部の開放端が互いに交差する向きで連結可能に構成したことを要旨する。
請求項１に係る発明によれば、一対の取付部でボードを挟む構成であるので、第１連結部材および第２連結部材をボードに対して簡単に取り付けることができる。また、係合突部および係合受部の係合と、第１締結部および第２締結部の接続とにより、第１連結部材および第２連結部材を簡単に連結することができ、第１連結部材および第２連結部材の連結によりボードを角筒状に組み立てたダクトを簡単に形成することができる。
【０００７】
請求項２に係る発明では、互いに対向させた前記第１締結部と前記第２締結部とを接続する接続部材を含み、
前記接続部材は、
該接続部材の一縁に鉤状に形成され、一方の第１取付部の外面から突出して第１底部からの第１取付部の延出方向へ折れ曲がる鉤状に形成された前記第１締結部に引っ掛け可能な第１鉤部と、
該接続部材の他縁に前記第１鉤部と対称な鉤状に形成され、第２底部の外面から突出して他方の第２取付部側へ折れ曲がる鉤状に形成された前記第２締結部に引っ掛け可能な第２鉤部とを有することを要旨とする。
請求項２に係る発明によれば、第１連結部材の第１締結部および第２連結部材の第２締結部に対して鉤部を引っ掛ける接続部材により、第１連結部材と第２連結部材とを接続する構成とすることで、第１連結部材および第２連結部材をより簡単に連結することができる。
【０００８】
請求項３に係る発明では、前記第１連結部材は、他の第１連結部材と前記第１底部の外面同士で当接させた状態で、互いの第１締結部同士が対向するように形成され、
互いに対向する２つの第１締結部を接続して、２つの第１連結部材を第１取付部の開放端が反対向きになるよう連結可能に構成したことを要旨とする。
請求項３に係る発明によれば、ボードを角筒状に組み立てるための第１連結部材を用いて、ボードを直列するように並べて簡単に連結することができ、少ない部品点数でダクト施工の自由度を向上することができる。
【０００９】
請求項４に係る発明では、２つの第１連結部材の第１締結部同士を接続する接続部材を含み、
第１締結部同士を接続する接続部材は、
該接続部材の一縁に鉤状に形成され、２つの第１連結部材のうちの一方の第１連結部材において一方の第１取付部の外面から突出して第１底部からの第１取付部の延出方向へ折れ曲がる鉤状に形成された前記第１締結部に引っ掛け可能な第１鉤部と、
該接続部材の他縁に前記第１鉤部と対称な鉤状に形成され、２つの第１連結部材のうちの他方の第１連結部材において一方の第１取付部の外面から突出して第１底部からの第１取付部の延出方向へ折れ曲がる鉤状に形成された前記第１締結部に引っ掛け可能な第２鉤部とを有することを要旨とする。
【００１０】
請求項５に係る発明では、前記係合受部は、一方の第２取付部の外面から突出して第２底部からの第２取付部の延出方向と反対側へ折れ曲がる鉤状に形成されていることを要旨とする。
請求項５に係る発明によれば、係合突部と係合受部とを簡単に係合することができ、第１連結部材および第２連結部材の連結をより簡単にすることができる。
【００１２】
請求項６に係る発明では、前記一対の取付部のうちの少なくとも一方には、返しが内面に形成されていることを要旨とする。
請求項６に係る発明によれば、取付部の内面に設けた返しにより、連結部材をボードから取れ難くすることができる。
【００１３】
前記課題を克服し、所期の目的を達成するため、本願の請求項７に係る発明のダクトの施工方法は、
ダクトの壁となる板状のボードの一縁に、一対の第１取付部で板厚方向に挟んで第１連結部材を取り付けると共に、該ボードの他縁に、一対の第２取付部で板厚方向に挟んで第２連結部材を取り付け、
前記第１連結部材において両第１取付部の間を繋ぐ第１底部と、異なるボードに取り付けた第２連結部材の一方の第２取付部とを当接させると共に、第１連結部材の第１取付部に形成された係合突部を、異なるボードに取り付けられた第２連結部材の第２取付部に形成された係合受部に係合し、
前記第１連結部材の第１取付部に形成された第１締結部と、異なるボードに取り付けられた第２連結部材において両第２取付部の間を繋ぐ第２底部に形成された第２締結部とを、前記係合突部と前記係合受部との係合により互いに対向させると共に、第１締結部と第２締結部とを接続し、
別々のボードに取り付けられた第１連結部材と第２連結部材とを連結することで、角筒状のダクトを組み立てるようにしたことを要旨とする。
請求項７に係る発明によれば、一対の取付部でボードを挟む構成であるので、第１連結部材および第２連結部材をボードに対して簡単に取り付けることができる。また、係合突部および係合受部の係合と、第１締結部および第２締結部の接続とにより、第１連結部材および第２連結部材を簡単に連結することができ、第１連結部材および第２連結部材の連結により該連結部材に取り付けたボードを角筒状に組み立てて、ダクトを簡単に形成することができる。
【００１４】
請求項８に係る発明では、前記第１連結部材の第１締結部と、異なるボードに取り付けられた第２連結部材の第２締結部とを、両締結部に引っ掛かる接続部材で接続するようにしたことを要旨とする。
請求項８に係る発明によれば、第１連結部材の第１締結部および第２連結部材の第２締結部に引っ掛けた接続部材により、第１連結部材と第２連結部材とを接続する構成とすることで、第１連結部材および第２連結部材をより簡単に連結することができる。
【００１５】
請求項９に係る発明では、前記第１連結部材および前記第２連結部材の連結により組み立てられたダクトの開口縁に、前記第１連結部材を取り付け、
異なるダクトの開口縁に取り付けた第１連結部材の第１底部同士をつき合わせて、対向する第１締結部同士を接続することで、ダクトを直列に連結するようにしたことを要旨とする。
請求項９に係る発明によれば、ボードを角筒状に組み立てるための第１連結部材を用いて、ボードを直列するように並べて簡単に連結することができ、少ない部品点数でダクト施工の自由度を向上することができる。
【００１６】
請求項１０に係る発明では、異なるダクトの開口縁に取り付けた前記第１連結部材の第１締結部同士を、両締結部に引っ掛かる接続部材で接続するようにしたことを要旨とする。
請求項１０に係る発明によれば、２つの第１連結部材の第１締結部に引っ掛けた接続部材により、２つの第１連結部材を接続する構成とすることで、２つの第１連結部材をより簡単に連結することができる。
【発明の効果】
【００１７】
本発明に係る連結ユニットによれば、ボードに取り付けた第１連結部材と第２連結部材とを連結することで、簡単にダクトを構成することができる。また、本発明に係るダクトの施工方法によれば、ボードに取り付けた第１連結部材と第２連結部材を連結することで、施工現場において簡単にダクトを構成することができる。
【図面の簡単な説明】
【００１８】
【図１】本発明の好適な実施例に係る連結ユニットの第１連結部材を示す正面図である。
【図２】実施例の連結ユニットの第２連結部材を示す正面図である。
【図３】実施例の連結ユニットの接続部材を示す正面図である。
【図４】第１連結部材および第２連結部材を断熱ボードに取り付けた状態を示す正面図である。
【図５】実施例の連結ユニットによるダクトの組み立てを説明する概略図である。
【図６】実施例の連結ユニットによるダクトの組み立てを説明する概略図である。
【図７】実施例の第１連結部材および接続部材によるダクトの連結を説明する正面図である。なお、手前側のダクトは図示省略してある。
【図８】実施例の第１連結部材および接続部材によるダクトの連結を説明する側面図である。
【図９】第１連結部材と第２連結部材との連結を説明する概略斜視図である。なお、返しは図示省略してある。
【図１０】２つの第１連結部材の連結を説明する概略斜視図である。なお、返しは図示省略してある。
【発明を実施するための形態】
【００１９】
次に、本発明に係る連結ユニットおよびダクトの施工方法につき、好適な実施例を挙げて、添付図面を参照して以下に説明する。
【実施例】
【００２０】
図１〜図６に示すように、実施例に係る連結ユニットは、板状の断熱ボード(ボード)５０同士を連結して角筒状のダクト５２を形成するのに用いられるものである。また、図７〜図８に示すように、実施例の連結ユニットは、角筒状のダクト５２の壁をなす板状の断熱ボード５０同士を直列に連結するのにも用いることができる。実施例の連結ユニットは、断熱ボード５０の縁にそれぞれ取り付け可能に構成された第１連結部材１０および第２連結部材１２を含み、第１連結部材１０および第２連結部材１２が断熱ボード５０に取り付けた状態で互いに連結可能になっている。ここで、実施例では、第１連結部材１０および第２連結部材１２のそれぞれに設けた係合構造により互いに接続するだけでなく、接続部材１４を用いて第１連結部材１０および第２連結部材１２を接続している。連結ユニットを構成する部材１０,１２,１４は、例えばポリプロピレン(ＰＰ)などの樹脂成形品や金属などの素材で形成することができ、実施例では樹脂成形品が用いられている。なお、断熱ボード５０は、平板状の硬質ウレタンフォームの両板面にアルミ合金など被覆材を積層した複合材を好適に用いることができるが、これに限定されない。
【００２１】
図１および図４に示すように、第１連結部材１０は、平板状の第１底部１６と、この第１底部１６の両縁から立ち上げて対向配置された一対の第１取付部１８Ａ,１８Ｂとで、断面「Ｃ」状の本体が構成されている。第１連結部材１０は、対向配置された一対の第１取付部１８Ａ,１８Ｂの間に挿入された断熱ボード５０を板厚方向に挟んで、断熱ボード５０の縁に取り付け可能になっている。第１連結部材１０は、平板状の両第１取付部１８Ａ,１８Ｂが互いに近接・離間する方向へ弾性変形可能に構成されている。両第１取付部１８Ａ,１８Ｂの離間幅は、両第１取付部１８Ａ,１８Ｂの間を繋ぐ第１底部１６に連なる根元部分で断熱ボード５０の板厚と同じまたはわずかに大きく設定されている。また、第１連結部材１０は、両第１取付部１８Ａ,１８Ｂの少なくとも一方が、根元または途中から相手側へ傾斜して、根元部分と反対側の開放端側で両第１取付部１８Ａ,１８Ｂの離間幅が断熱ボード５０の板厚より小さくなるように設定されている。すなわち、第１連結部材１０は、断熱ボード５０に取り付けた際に、弾性変形した第１取付部１８Ａ,１８Ｂにより断熱ボード５０を挟み込むようになっている。なお、第１連結部材１０において、断熱ボード５０に取り付けた際に断熱ボード５０に対向する面(第１底部１６と両第１取付部１８Ａ,１８Ｂで画成する溝面)を内面といい、反対側の面を外面という。
【００２２】
図１および図４に示すように、第１連結部材１０は、一方の第１取付部(以下、外側第１取付部という)１８Ａに形成された第１締結部２０と、他方の第１取付部(以下、内側第１取付部という)１８Ｂに形成された係合突部２２とを有している。第１締結部２０は、外側第１取付部１８Ａの外面から内側第１取付部１８Ｂより離れる方向へ突出するように設けられ、延出端が第１底部１６からの第１取付部１８Ａ,１８Ｂの延出方向(第１取付部１８Ａ,１８Ｂの開放端側)へ折れ曲がる鉤状に形成されている。第１締結部２０は、外側第１取付部１８Ａの根元部分(外側第１取付部１８Ａにおける第１底部１６との角部分)に、外側第１取付部１８Ａの延出方向と直交する方向の全体に亘って設けられている。係合突部２２は、内側第１取付部１８Ｂの外面から外側第１取付部１８Ａより離れる方向へ突出するように形成された突片である。係合突部２２は、内側第１取付部１８Ｂの根元部分(内側第１取付部１８Ｂにおける第１底部１６との角部分)に、内側第１取付部１８Ｂの延出方向と直交する方向の全体に亘って設けられている。
【００２３】
図１に示すように、第１取付部１８Ｂの内面には、両第１取付部１８Ａ,１８Ｂの間に挟んだ断熱ボード５０を抜け止めする返し２４が設けられている。返し２４は、第１取付部１８Ｂの内面から第１底部１６側へ斜めに突出する突片であり、第１取付部１８Ｂの延出方向と直交する方向の全体に亘って設けられている。なお、実施例では、内側第１取付部１８Ｂの内面だけに、２条の返し２４が形成されている。
【００２４】
図８に示すように、前記第１連結部材１０は、他の第１連結部材１０と第１底部１６の外面同士で当接させた状態で、互いの第１締結部２０,２０同士が対向するように形成されている。そして、互いに対向する２つの第１締結部２０,２０を接続して、２つの第１連結部材１０,１０を第１取付部１８Ａ,１８Ｂの開放端が反対向きになるよう連結可能に構成してある。ここで、２つの第１連結部材１０,１０について外側第１取付部１８Ａ,１８Ａの外面を揃えて第１底部１６,１６同士を当接させた際に、２つの第１締結部２０,２０は、両第１連結部材１０,１０の当接面を挟んで、屈曲する延出端が反対を向く対称な形状となる。
【００２５】
図２および図４に示すように、第２連結部材１２は、平板状の第２底部２６と、この第２底部２６の両縁から立ち上げて対向配置された一対の第２取付部２８Ａ,２８Ｂとで、断面「Ｃ」状の本体が構成されている。第２連結部材１２は、対向配置された一対の第２取付部２８Ａ,２８Ｂの間に挿入された断熱ボード５０を板厚方向に挟んで、断熱ボード５０の縁に取り付けられる。第２連結部材１２は、平板状の両第２取付部２８Ａ,２８Ｂが互いに近接・離間する方向へ弾性変形可能に構成されている。両第２取付部２８Ａ,２８Ｂの離間幅は、両第２取付部２８Ａ,２８Ｂの間を繋ぐ第２底部２６に連なる根元部分で断熱ボード５０の板厚と同じまたはわずかに大きく設定されている。また、第２連結部材１２は、一対の第２取付部２８Ａ,２８Ｂの少なくとも一方が、根元または途中から相手側へ傾斜して、根元部分と反対側の開放端側で両第２取付部２８Ａ,２８Ｂの離間幅が断熱ボード５０の板厚より小さくなるように設定されている。すなわち、第２連結部材１２は、断熱ボード５０に取り付けた際に、弾性変形した第２取付部２８Ａ,２８Ｂにより断熱ボード５０を挟み込むようになっている。第２連結部材１２は、少なくとも一方の第２取付部２８Ａ,２８Ｂが第１連結部材１０の第１底部１６の幅よりも第２底部２６から延出長さが大きく設定されている。なお、第２連結部材１２において、断熱ボード５０に取り付けた際に断熱ボード５０に対向する面(第２底部２６と両第２取付部２８Ａ,２８Ｂで画成する溝面)を内面といい、反対側の面を外面という。
【００２６】
図２および図４に示すように、第２連結部材１２は、第２底部２６に形成された第２締結部３０を有している。また、第２連結部材１２は、一方の第２取付部(以下、内側第２取付部という)２８Ａに形成された係合受部３２を有している。第２締結部３０は、第２底部２６の外面から第２取付部２８Ａ,２８Ｂの延出方向と反対側へ突出するように設けられ、延出端が他方の第２取付部(以下、外側第２取付部という)２８Ｂ側へ折れ曲がる鉤状に形成されている。第２締結部３０は、第２底部２６の根元部分(第２底部２６における内側第２取付部２８Ａとの角部分)に、第２取付部２８Ａ,２８Ｂの延出方向と直交する方向の全体に亘って設けられている。
【００２７】
図２に示すように、係合受部３２は、内側第２取付部２８Ａの外面から外側第２取付部２８Ｂより離れる方向へ突出するように設けられ、延出端が第２取付部２８Ａ,２８Ｂの延出方向(第２取付部２８Ａ,２８Ｂの開放端側)と反対側へ折れ曲がる鉤状に形成されている。係合受部３２は、内側第２取付部２８Ａの外面と当該外面に対向する延出端との間が、第１連結部材１０の係合突部２２の板厚と同じまたはわずかに大きく設定されている。係合受部３２は、内側第２取付部２８Ａの根元部分(内側第２取付部２８Ａにおける第２底部２６との角部分)から第１連結部材１０の第１底部１６の幅程度離れた位置に、内側第２取付部２８Ａの延出方向と直交する方向の全体に亘って設けられている。係合受部３２は、第１底部１６の外面を内側第２取付部２８Ａの外面に当接させた状態で係合突部２２を延出端と内側第２取付部２８Ａとの間に受け入れて該係合突部２２と係合可能に形成される。そして、第１連結部材１０と第２連結部材１２とは、互いに引っ掛かる係合突部２２と係合受部３２との係合により、各底部１６,２６からの各取付部１８Ａ,１８Ｂ,２８Ａ,２８Ｂの延出方向に向けた相対的な変位が規制される。また、第１連結部材１０と第２連結部材１２とは、係合突部２２と係合受部３２との係合により、第１連結部材１０の第１底部１６および外側第１取付部１８Ａのなす角部分と、第２連結部材１２の第２底部２６および内側第２取付部２８Ａのなす角部分とが揃うように構成される。更に、第１連結部材１０の係合突部２２と第２連結部材１２の係合受部３２とを係合した際に、第１連結部材１０の第１締結部２０と第２連結部材１２の第２締結部３０とが対向するよう構成されている。ここで、係合突部２２と係合受部３２とを係合した際に対向する第１連結部材１０の第１締結部２０と第２連結部材１２の第２締結部３０とは、両連結部材１０,１２の当接面を挟んで屈曲する延出端が反対を向く対称な形状となる。
【００２８】
図２に示すように、第２取付部２８Ａの内面には、両第２取付部２８Ａ,２８Ｂの間に挟んだ断熱ボード５０を抜け止めする返し３４が、第１連結部材１０と同様に設けられている。返し３４は、第２取付部２８Ａの内面から第２底部２６側へ斜めに突出する突片であり、第２取付部２８Ａの延出方向と直交する方向の全体に亘って設けられている。なお、実施例では、内側第２取付部２８Ａの内面だけに、３条の返し３４が形成されている。
【００２９】
図３に示すように、接続部材１４は、第１連結部材１０の係合突部２２と第２連結部材１２の係合受部３２とを係合した際に互いに対向する第１締結部２０と第２締結部３０とを接続するものである。接続部材１４は、該接続部材１４の一縁に鉤状に形成された第１鉤部１４ａと、該接続部材１４の他縁に第１鉤部１４ａと対称な鉤状に形成された第２鉤部１４ｂとを有し、「Ｃ」状のチャンネル材の延出端が更に内側に折れ曲がる断面形状となっている。接続部材１４は、係合突部２２と係合受部３２とを係合して対向配置させた第１連結部材１０の第１締結部２０に対して第１鉤部１４ａを引っ掛けると共に、第２連結部材１２の第２締結部３０に対して第２鉤部１４ｂを引っ掛けて、第１連結部材１０と第２連結部材１２との互いに離間する変位を規制する(図５(ｃ)参照)。第１連結部材１０と第２連結部材１２を組み合わせて対向配置した第１締結部２０と第２締結部３０とがなす形状は、２つの第１連結部材１０,１０を組み合わせて対向配置した２つの第１締結部２０,２０がなす形状と同じである。そして、接続部材１４は、第１締結部２０と第２締結部３０との接続だけでなく、対向配置した２つの第１締結部２０,２０の接続にも共用可能に構成されている。このように実施例の連結ユニットは、 互いに対向させた第１締結部２０と第２締結部３０とを接続する接続部材１４と同じ構成の接続部材１４により、２つの第１連結部材１０,１０の第１締結部２０,２０同士を接続可能である。
【００３０】
このように、連結ユニットは、第１底部１６の外面と内側第２取付部２８Ａの外面とを当接して、係合突部２２と係合受部３２とを係合すると共に、互いに対向する第１締結部２０と第２締結部３０とを接続部材１４で接続することで、第１連結部材１０と第２連結部材１２とを取付部１８Ａ,１８Ｂ,２８Ａ,２８Ｂの開放端が互いに交差する向きで連結可能に構成してある。また、連結ユニットは、第１底部１６,１６の外面同士を当接して、互いに対向する第１締結部２０,２０を接続部材１４で接続することで、２つの第１連結部材１０,１０を第１取付部１８Ａ,１８Ｂの開放端が互いに反対になる向きで連結可能に構成してある。
【００３１】
次に、前述した連結ユニットを用いたダクト５２の施工方法について説明する。両第１取付部１８Ａ,１８Ｂの間に断熱ボード５０の一縁を挿入し、両第１取付部１８Ａ,１８Ｂの間に断熱ボード５０を板厚方向に挟んで第１連結部材１０を断熱ボード５０の一縁に取り付ける(図４参照)。両第２取付部２８Ａ,２８Ｂの間に断熱ボード５０の一縁と反対側の他縁を挿入し、両第２取付部２８Ａ,２８Ｂの間に断熱ボード５０を板厚方向に挟んで第２連結部材１２を断熱ボード５０の他縁に取り付ける。同じ断熱ボード５０に取り付ける第１連結部材１０および第２連結部材１２は、外側第１取付部１８Ａおよび外側第２取付部２８Ｂをダクト５２を構成した際に断熱ボード５０の外側となる板面に配置し、内側第１取付部１８Ｂおよび内側第２取付部２８Ａを断熱ボード５０の内側となる板面に配置する(図５(ａ))。このように、第１連結部材１０および第２連結部材１２を取り付けた断熱ボード５０を４枚用意する。
【００３２】
断熱ボード５０に取り付けられた第１連結部材１０の第１底部１６の外面と、別の断熱ボード５０に取り付けられた第２連結部材１２の内側第２取付部２８Ａの外面とを突き当て、第２連結部材１２の係合受部３２の延出端と内側第２取付部２８Ａとの間に、第１連結部材１０の係合突部２２を差し込んで互いに係合する(図５(ｂ))。これにより、第１連結部材１０の外側第１取付部１８Ａと第２連結部材１２の第２底部２６とが揃い、第１連結部材１０の第１締結部２０と第２連結部材１２の第２締結部３０とが互いの当接面を挟んで対向配置される。第１鉤部１４ａに第１締結部２０を差し込むと共に、第２鉤部１４ｂに第２締結部３０を差し込むように、両連結部材１０,１２の端面側から接続部材１４をスライド移動して鉤部１４ａ,１４ｂと締結部２０,３０とをそれぞれ噛み合わせることで、両締結部２０,３０で接続部材１４により接続される(図５(ｃ)および図９)。そして、第１連結部材１０と第２連結部材１２とは、ダクト５２の内側となる側が係合突部２２と係合受部３２との係合により接続されると共に、ダクト５２の外側となる側が両締結部２０,３０に噛み合う接続部材１４により接続される。すなわち、第１連結部材１０と第２連結部材１２とは、互いの取付部１８Ａ,１８Ｂ,２８Ａ,２８Ｂの開放端が直交する向きで連結されるので、第１連結部材１０が取り付いた断熱ボード５０と、第２連結部材１２が取り付いた別の断熱ボード５０とが直交する向きで互いに組み付けられる。同様に、４枚の断熱ボード５０を、第１連結部材１０と第２連結部材１２とで互いに連結することで、角筒状のダクト５２が得られる(図６(ａ)および(ｂ))。
【００３３】
次に断熱ボード５０同士を直列に連結する場合を説明する。第１連結部材１０と第２連結部材１２との連結により組み立てられたダクト５２の開口縁をなす断熱ボード５０を両第１取付部１８Ａ,１８Ｂで板厚方向に挟んで、断熱ボード５０の開口縁の４辺のそれぞれに第１連結部材１０を取り付ける(図７および図８)。なお、第１連結部材１０は、第１締結部２０がダクト５２の外側になるように取り付ける。異なるダクト５２の開口縁に取り付けた第１連結部材１０,１０の第１底部１６,１６同士をつき合わせることで、互いの当接面を挟んで２つの第１締結部２０,２０が対向配置される。第１鉤部１４ａに一方の第１締結部２０を差し込むと共に、第２鉤部１４ｂに他方の第１締結部２０を差し込むように、２つの第１連結部材１０,１０の端面側から接続部材１４をスライド移動して、鉤部１４ａ,１４ｂと第１締結部２０,２０とをそれぞれ噛み合わせることで、両締結部２０,２０で接続部材１４により接続される(図１０)。そして、２つの第１連結部材１０,１０は、ダクト５２の外側で２つの第１両締結部２０,２０に噛み合う接続部材１４により接続される。すなわち、２つの第１連結部材１０,１０は、互いの取付部１８Ａ,１８Ｂの開放端が反対になる向きで連結されるので、一方の第１連結部材１０が取り付いたダクト５２と、他方の第１連結部材１０が取り付いた別のダクト５２とが直列に組み付けられる。なお、直列に並べた２つのダクト５２,５２の合わせ目において、第１連結部材１０がない部分は、アルミテープなどで封止される。
【００３４】
〔実施例の作用〕
次に、実施例の作用について説明する。実施例の連結ユニットによれば、一対の第１取付部１８Ａ,１８Ｂの間に断熱ボード５０を差し込むだけで、第１連結部材１０を断熱ボード５０の縁に簡単に取り付けることができる。同様に、一対の第２取付部２８Ａ,２８Ｂの間に断熱ボード５０を差し込むだけで、第２連結部材１２を断熱ボード５０の縁に簡単に取り付けることができる。また、第１連結部材１０および第２連結部材１２は、取付部１８Ｂ,２８Ａの内面に返し２４,３４が設けられているので、一対の取付部１８Ａ,１８Ｂ,２８Ａ,２８Ｂの間に差し込んだ断熱ボード５０に返しが噛み込み、断熱ボード５０に対する位置ずれおよび外れを防止することができる。更に、第１連結部材１０および第２連結部材１２は、弾性変形した取付部１８Ａ,１８Ｂ,２８Ａ,２８Ｂにより断熱ボード５０を挟み込んでいるので、断熱ボード５０から外れ難い。
【００３５】
前記連結ユニットは、係合突部２２および係合受部３２の係合と、第１締結部２０および第２締結部３０の接続とにより、第１連結部材１０および第２連結部材１２を簡単に連結することができる。そして、第１連結部材１０および第２連結部材１２の連結により、該連結部材１０,１２が取り付けられた断熱ボード５０を角筒状に組み立てたダクト５２を簡単に形成することができる。ここで、係合突部２２と係合受部３２とを係合することで、第１連結部材１０と第２連結部材１２との内外向きが正常な向きで定まると共に、第１締結部２０と第２締結部３０とが対向するように自然に位置付けることができる。このように、第１連結部材１０および第２連結部材１２の連結により、平板状の断熱ボード５０を簡単に組み立てることができるので、施工現場で高い施工精度が必要とされず、またダクト５２の構成部材の運搬および保管時に嵩張らない。そして、施工現場において、第１連結部材１０および第２連結部材１２の連結により、４枚の断熱ボード５０を組み立てて角筒状に形成することができ、施工現場が狭くてもダクト５２をその場で作成することができる。また、断熱ボード５０の寸法を変更することで、連結ユニットを変更することなく、得られるダクト５２の大きさを変更することができ、施工およびダクト寸法の自由度を向上することができる。
【００３６】
前記連結ユニットは、第１連結部材１０の第１締結部２０および第２連結部材１２の第２締結部３０に対して鉤部１４ａ,１４ｂを引っ掛ける接続部材１４により、第１締結部２０と第２締結部３０とを接続する構成とすることで、第１連結部材１０および第２連結部材１２をより簡単に連結することができる。また、接続部材１４は、第１連結部材１０および第２連結部材１２の端面側から鉤部１４ａ,１４ｂに対応の締結部２０,３０を差し込みつつスライド移動することで、第１締結部２０および第２締結部３０を接続することができ、接続作業が非常に簡単である。更に、鉤状の係合受部３２に対して突状の係合突部２２を差し込んで引っ掛ける構成であるので、係合受部２２と係合突部３２とを簡単に係合することができる。このように、実施例の連結ユニットによれば、ダクト５２の組み立てに際して、穴開けや溶接やボルト締結などを要さず、特に工具を必要することなく、手作業で係合突部２２および係合受部３２の係合と締結部２０,３０の接続を行うことができ、ダクト５２を簡単に形成することができる。
【００３７】
前記連結ユニットは、断熱ボード５０を角筒状に組み立てるための第１連結部材１０を用いて、断熱ボード５０を直列するように並べて簡単に連結することができ、少ない部品点数でダクト施工の自由度を向上することができる。しかも、２つの第１連結部材１０,１０を連結することで断熱ボード５０を直列に連結するだけでなく、角筒状に構成されたダクト５２の開口縁に取り付けた第１連結部材１０,１０同士を連結することで、複数のダクト５２を互いに連通するように直列に連結することができる。また、２つの第１連結部材１０,１０の第１締結部２０,２０を接続する部材として、第１連結部材１０の第１締結部２０と第２連結部材１２の第２締結部３０とを接続する接続部材１４を共通的に用いることができ、少ない部品点数でダクト５２(断熱ボード５０)を簡単に直列に連結できる。
【００３８】
(変更例)
前述した実施例に限らず、例えば以下のようにも変更可能である。
(１)第１締結部および第２締結部の接続、または第１締結部同士の接続は、実施例のように接続部材によるものに限られず、接着、ビス止めまたはボルト締結などその他の構成であってもよい。
(２)係合受部は、実施例のような鉤状に限られず、例えば平板状に形成された係合受部に開設された開口に係合突部を差し込んで係合する構成であってもよい。
(３)平板状のボードを第１連結部材と第２連結部材の連結により組み合わせる構成に限られず、例えば断面「Ｌ」状のボードを連結ユニットで組み合わせてダクトを形成したり、断面「Ｃ」状のボードと平板状のボードを連結ユニットで組み合わせてダクトを形成してもよい。
(４)第１連結部材同士の連結により複数のボードを並べて、ダクトにおける１辺の壁を構成してもよい。
(５)第１連結部材同士の連結により複数のボードを直列に並べた長尺物を作成した後に、この長尺物を第１連結部材と第２連結部材との連結により角筒状に組み立ててもよい。
(６)２つの第１連結部材を１枚のボードに取り付け、このボードを２枚用意し、同様に、第２連結部材も２つを１枚のボードに取付け、このボードも２枚用意する。これら４枚のボードを組合わせて連結ユニットとすることも可能である。すなわち、２枚のボードには第１連結部材だけが、各々２つ取り付けられており、他の２枚のボードには第２連結部材だけが、各々２つ取り付けられている。
【００３９】
第１連結部材と第２連結部材との連結により組み立てられたダクトに限らず、予め角筒状に形成されたダクトを第１連結部材同士を連結することで、互いに連通するように直列に接続することも可能である。
【００４０】
本願発明は、次のようにも表現できる。
４枚のボード(板部材)を壁として環状に形成されるダクトを構成する連結ユニットであって、
１つの壁を形成するボードの端面を覆い、ボードの側縁を一対の第２取付部(甲種取付部)で挟み込み固定する本体および、該第２取付部のダクト内壁を形成する面に設けられた係合受部および、前記第２取付部のダクト内壁を形成する面に沿って他のボードの側壁と交わる方向に向かって延びる第２締結部(甲種締結部)とを有する第２連結部材(甲種連結部材)と、
前記壁を形成するボードに隣接する他のボードの端面を覆い、該ボードの側縁を一対の第１取付部(乙種取付部)で挟み込み固定する本体および、前記第２連結部材の係合受部に嵌合する、ダクト内壁を形成する面をなす第１取付部から延びる係合突部および、該本体の端面に沿って他のボードのダクト側壁と交わる方向へ向かって延びる、前記第２締結部と締結可能に位置する第１締結部(乙種締結部)とを有する第１連結部材(乙種連結部材)と、を備え、
前記第１連結部材と前記第２連結部材とが、前記第１締結部と前記第２締結部を締結する接続部材とによって、ダクトの角部を形成する連結ユニットであることを特徴とする。
【符号の説明】
【００４１】
１０ 第１連結部材(連結部材)，１２ 第２連結部材，１４ 接続部材，１６ 第１底部，
１８Ａ 外側第１取付部(第１取付部,取付部)，
１８Ｂ 内側第１取付部(第１取付部,取付部)，２０ 第１締結部(締結部)，
２２ 係合突部，２４ 返し，２６ 第２底部，２８Ａ 内側第２取付部(第２取付部)，
２８Ｂ 外側第２取付部(第２取付部)，３０ 第２締結部，３２ 係合受部，
５０ 断熱ボード(ボード)，５２ ダクト
【図１】
0006577294.tif 000002
【図２】
0006577294.tif 000003
【図３】
0006577294.tif 000004
【図４】
0006577294.tif 000005
【図５】
0006577294.tif 000006
【図６】
0006577294.tif 000007
【図７】
0006577294.tif 000008
【図８】
0006577294.tif 000009
【図９】
0006577294.tif 000010
【図１０】
0006577294.tif 000011